(57)【要約】【課題】液晶表示器の交換が簡単にできる遊技機を得る。【解決手段】内枠１４の裏面側の開口部１１０の上縁部（収容部１０４の周縁部１０４Ａ）及び下縁部に、内枠１４の自由端側から支持端側へ向かって上レール１１２及び下レール１１４を水平に配設し、該上レール１１２及び下レール１１４に沿って液晶表示器９４をスライド可能としている。このため、液晶表示器９４を交換する際、液晶表示器９４を完全に取り外すまでの間は、液晶表示器９４の質量は下レール１１４を介して内枠１４で支持されるため、作業者の負担が少なく、液晶表示器９４の交換を簡単に行うことができる。【選択図】図５
2008104860.tif 000002
【特許請求の範囲】
【請求項１】
略矩形状の外枠と、
前記外枠に回動可能に支持されると共に、前面側に透明部を有する遊技盤が設けられ裏面側に電子部品が配設された内枠と、
前記遊技盤と前記電子部品の間に位置し、前記内枠の自由端部から支持端側へ向かって延設された一対のガイドレールと、
前記透明部を通じて表示され、前記ガイドレールに沿ってスライド可能な画像表示器と、
前記ガイドレールの一部に設けられ、前記液晶表示器を保持する保持手段と、
を有することを特徴とする遊技機。
【請求項２】
前記ガイドレールが前記外枠の裏面より後方に配置され、側面視にて前記画像表示器が露出していることを特徴とする請求項１に記載の遊技機。
【請求項３】
前記画像表示器の表示面での画像表示を制御するドライブユニットが当該画像表示器の裏面に配設され、前記ドライブユニットが前記内枠の自由端側に位置するように配置されたことを特徴とする請求項１又は２に記載の遊技機。
【請求項４】
前記ドライブユニットが、前記画像表示器で表示される画像の階調を表現するため周波数を変更するインバータ機能を有することを特徴とする請求項３に記載の遊技機。
【発明の詳細な説明】
【技術分野】
【０００１】
本発明は、パチンコ機などの遊技機に関する。
【背景技術】
【０００２】
近年のパチンコ機においては、特別図柄表示装置に液晶表示器（液晶ディスプレイ）を採用しているものが多く、大当たり抽選時の図柄（数字や絵柄等）の可変表示、リーチアクション、あるいは、デモンストレーション等をアニメーション（動画）で多彩に表現している。またスロットマシン機等でも、機器の前面に設けた液晶表示器でデモンストレーション等の動画を表示させているものがある。
【０００３】
ところで、この液晶表示器を複数種類のパチンコ機に搭載する場合、該パチンコ機から液晶表示器を取り外す必要が生じる。
【０００４】
例えば、特許文献１では、開口部が設けられた中枠の両側端側に、液晶表示装置をスライド可能に支持するレール部を設け、該レール部に沿って液晶表示装置をスライド可能としている。そして、中枠の上端側には、補給された複数の遊技球の中から所定数の遊技球を払い出すように構成された払出ユニットを回動可能に軸支させ、払出ユニットが閉状態とされた状態で、レール部によって支持された液晶表示装置の上方への移動を規制し、払出ユニットが開状態とされた状態で、液晶表示装置の上方への移動を可能としている。
【０００５】
しかしながら、遊技における演出向上のため液晶表示器は大型化され質量も増加し、該液晶表示器を上方へ持ち上げるのは、作業者にとってかなり負担となる。また、このパチンコ機がパチンコ店に配置された状態では、背の低い人による液晶表示器の交換は大変困難である。
【特許文献１】特開２００５−１３１３２８８号公報
【発明の開示】
【発明が解決しようとする課題】
【０００６】
本発明は上記事実を考慮して、液晶表示器の交換が簡単にできる遊技機を提供することを課題とする。
【課題を解決するための手段】
【０００７】
上記課題を解決するために、請求項１に記載の発明は、遊技機において、略矩形状の外枠と、前記外枠に回動可能に支持されると共に、前面側に透明部を有する遊技盤が設けられ裏面側に電子部品が配設された内枠と、前記遊技盤と前記電子部品の間に位置し、前記内枠の水平方向に沿って該内枠の自由端部から支持端側へ向かって設けられた一対のガイドレールと、前記透明部を通じて表示され、前記ガイドレールに沿ってスライド可能な画像表示器と、前記ガイドレールの一部に形成され、前記画像表示器を保持する保持手段と、を有することを特徴とする。
【０００８】
請求項１に記載の発明では、略矩形状の外枠に回動可能に支持された内枠の前面側には透明部を有する遊技盤が配設され、内枠の裏面側には電子部品が配設されている。この電子部品と遊技盤の間に、内枠の水平方向に沿って該内枠の自由端部から支持端側へ向かって一対のガイドレールを設けている。このガイドレールに、透明部を通じて表示される画像表示器をスライドさせるようにしている。また、ガイドレールの一部（例えば、内枠の支持端側終端部或いはその近傍等）には保持手段を設け、内枠内に配置された液晶表示器を保持するようにしている。
【０００９】
このように、画像表示器を内枠の自由端部から支持端側へ向かって水平方向に沿ってスライドさせるようにすることで、画像表示器を交換する際、画像表示器を完全に取り外すまでの間は、液晶表示器の質量はガイドレールを介して内枠で支持されるため、作業者の負担が少なく、液晶表示器の交換を簡単に行うことができる。
【００１０】
なお、この場合、例えば、画像表示器は、画像表示器と電子部品とを電気的に接続する配線ケーブルがコネクタを介して接続されている。
【００１１】
また、画像表示器は、電子部品が集約されてユニット化された制御基板等を搭載し、かつ遊技球の案内路が形成された構造体が被せられた位置関係となっている。
【００１２】
ところが、上記構造とすることで、構造体を取り外すことなく、前記コネクタを取り外すことで、画像表示器を着脱することが可能となる。
【００１３】
請求項２に記載の発明は、請求項１に記載の遊技機において、前記ガイドレールが前記外枠の裏面より後方に配置され、側面視にて前記画像像表示器が露出していることを特徴とする。
【００１４】
請求項２に記載の発明では、ガイドレールを外枠の裏面より後方に配置し、側面視にて画像表示器を露出させるようにすることで、内枠を外枠に取付けた状態でも、画像表示器の着脱が可能となる。遊技機が店内に配置された状態では、外枠に対して内枠を回動させ、外枠と干渉しない状態で、画像表示器をスライドさせる必要があるが、遊技機が店内に配置されていない状態では、必ずしも内枠を外枠に対して回動させる必要がないため、大変便利である。
【００１５】
請求項３に記載の発明は、前記請求項１又は請求項２に記載の発明において、前記画像表示器の表示面での画像表示を制御するドライブユニットが当該画像表示器の裏面に配設され、前記ドライブユニットが前記内枠の自由端側に位置するように配置されたことを特徴としている。
【００１６】
請求項４に記載の発明は、前記請求項３に記載の発明において、前記ドライブユニットが、前記画像表示器で表示される画像の階調を表現するため周波数を変更するインバータ機能を有することを特徴としている。
【００１７】
画像表示器と画像表示器用のドライブユニット（例えば、インバータ）と電子部品とは電気的に接続された状態であるが、該インバータを電気部品が配設されたスペースに配設する場合と比較して、インバータを画像表示器に配設した方が、画像表示器をスライドさせる際にコネクターを着脱させる箇所が少なくて済む。このため、請求項３に記載の発明では、インバータを画像表示器の裏面に配設している。
【００１８】
また、画像表示器の裏面にインバータを配設することで、該インバータ部分は画像表示器の裏面から大きく突出した状態となる。画像表示器をスライドさせると、このインバータが移動する領域はデッドスペースになってしまう。このため、インバータを内枠の自由端側に位置するようにして、デッドスペースが生じないようにしている。
【発明の効果】
【００１９】
本発明の遊技機によれば、画像表示器の交換が簡単にできる。
【発明を実施するための最良の形態】
【００２０】
以下、本発明の実施形態に係る遊技機について図面を参照して説明する。
【００２１】
（パチンコ機の構成）
図１〜図３には、本発明の一実施形態に係るパチンコ機１０が示されている。図１〜図３に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図２参照）、内枠１４の下側となる外枠１２の前面下端部には、パチンコ機１０の前面下端部を構成する合成樹脂製の下飾り１６が取り付けられている。
【００２２】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板（ガラスユニット）２６が装着されるとともに、左側端部が内枠１４に軸支されて開閉可能に取り付けられている（図２参照）。
【００２３】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、パチンコ機１０の正面側から窓部２４のガラス板２６を通して視認可能とされている。
【００２４】
ここで、遊技盤Ｇは、基板として透明の平板状合成樹脂材が用いられている（以下、透明遊技盤Ｇという）。この透明遊技盤Ｇの表面には、円弧状の内レール９０及び外レール９２が取り付けられている。これらの内レール９０及び外レール９２によって囲まれた円形状の領域は、発射装置６０から発射されて打ち込まれた遊技球が自重落下により移動可能とされ、この領域が遊技を行う遊技領域ＰＡとされる。透明遊技盤Ｇの裏面側には、少なくとも遊技領域ＰＡのほぼ全域に亘って表示面が対向する画像表示器としての大型の液晶表示器９４が配設されている（後述する）。すなわち、遊技領域ＰＡが、液晶表示器９４の表示領域となっている。なお、画像表示器は、液晶表示器９４に限らず、プラズマディスプレイ、デジタルミラーデバイス等、他の表示器であってもよい。
【００２５】
また、ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２６】
一方、内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して発射装置６０（図２及び図３参照）へ供給する上皿４２が突設され、ベース４１の前面下部における上皿４２の左下に、上皿４２に貯留しきれない遊技球を貯留するための下皿４４が突設されている。
【００２７】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図２参照）へ誘導する整列通路４６が設けられている。ベース４１によって構成された上皿４２の奥壁面における右側端部には、内枠１４の裏面に設けられた払出装置６２（図３参照）から払い出された貸し球や賞球が排出される球排出口４８が形成されており、下皿４４の奥壁面における右側端部には、上皿４２に貯留しきれない遊技球が排出される球排出口４９が形成されている。
【００２８】
そして、皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００２９】
図２に示されるように、ベース４１の裏面における略中央部には、上皿４２に貯留しきれない遊技球を下皿４４へ流下させる球通路７０が設けられており、球通路７０よりも回転支軸側には、球送り装置４５が取り付けられている。球通路７０は、上端部に通路入口７２が形成され、下端部に形成された通路出口が球排出口４９とされている（図１参照）。
【００３０】
一方、内枠１４の前面下部における皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００３１】
貯球タンク７４は、上面が開口した箱型とされ、タンク底面が正面視にて左側から右側へ向けて下り傾斜している。タンク底面の傾斜方向上流側となる左端部には、詳細については後述する払出機構１００の払出装置６２から払い出された遊技球が流入するタンク入口（図示省略）が形成されており、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００３２】
ところで、内枠１４の裏面における自由端側（裏面視左側）の側端部には、図２及び図３に示されるように、内枠１４及びガラス枠２２を施錠するための施錠装置６４が取り付けられており、施錠装置６４の下側には、皿ユニット４０をロックするためのロック装置６８が取り付けられている。
【００３３】
この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。
【００３４】
また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。
【００３５】
ガラス枠２２を開放すると露出されるロック装置６８のロック解除レバー６９を操作すると、内枠１４にロックされていた皿ユニット４０がロック解除されて開放可能となるが、皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置されて、タンク出口７６及び球排出口４８を介して貯球タンク７４と上皿４２とが連通する。
【００３６】
一方、図４に示されるように、内枠１４の裏面には、払出機構１００（後述する）等が配設されている。払出機構１００は、基板となる矩形状のベース板１０２の裏面視右側（内枠１４の支持端側）に設けられており、ベース板１０２の払出機構１００以外の領域には、パチンコ機１０の各機能の全般を制御するための主制御基板９６、液晶表示器９４に表示させる図柄を制御するための図柄制御基板９８等が組み付けられた制御基板ボックス９７が取付け可能となっている。また、制御基板ボックス９７の表面は保護カバー９９で被覆可能とされている。
【００３７】
そして、ベース板１０２に制御基板ボックス９７及び保護カバー９９を取付けた状態で（ユニット化）、該ベース板１０２を内枠１４に対して着脱可能とされている。なお、ユニット化しない状態で、ベース板１０２を内枠１４に取付けた後、制御基板ボックス９７及び保護カバー９９を順番に取付けても良いのは勿論のことである。
【００３８】
ここで、払出機構１００について説明する。図３に示すように、内枠１４裏面の支持端側（図中右側）の側端部には、上タンク８０及び下タンク８２に貯留された遊技球を貯球タンク７４（図２参照）側へ流下させる上部球通路ユニット８４及び下部球通路ユニット８６が延設されており、上部球通路ユニット８４と下部球通路ユニット８６の間に払出装置６２が取り付けられ、下部球通路ユニット８６の下側に発射装置６０が取り付けられている。また、発射装置６０の左側には払出制御基板８８が設けられている。
【００３９】
この払出制御基板８８による払出停止制御では、払出装置６２を駆動停止させて遊技球の払い出しを停止し、払出実行制御では、払出装置６２を駆動させて、上タンク８０及び下タンク８２から上部球通路ユニット８４を流下し払出装置６２に誘導された遊技球を、貸し球又は賞球として下部球通路ユニット８６へ払い出す。
【００４０】
そして、下部球通路ユニット８６へ払い出された遊技球は、下部球通路ユニット８６を通り貯球タンク７４へ誘導され、貯球タンク７４内を上流側（左側）から下流側（右側）へ転動して球排出口４８から排出されて、上皿４２に貯留される。
【００４１】
さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図２の矢印Ａ方向）。この遊技球が遊技領域ＰＡを自重落下する過程で入賞又は外れとなることにより、遊技盤Ｇにて遊技球を用いた遊技が行われる。
【００４２】
そして、遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００４３】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００４４】
次に、本発明の実施の形態に係る遊技機の要旨について説明する。
【００４５】
図４に示すように、ベース板１０２の上端部には、ベース板１０２の表面から一部張り出した状態で上タンク８０が設けられており、内枠１４の裏面上部（遊技盤Ｇの裏面上部）に形成された収容部１０４内に収容可能となっている。また、上タンク８０の下部には、ベース板１０２の裏面側に下タンク８２が設けられており、上タンク８０と下タンク８２とで互いに連通し、島設備から供給された遊技球が貯留されるようになっている。
【００４６】
上タンク８０と下タンク８２の間に位置するベース板１０２の上端面１０２Ａは、水平方向に沿って形成されており、該上端面１０２Ａからは、外形が矩形状の取付部１０６が複数凸設されている。この取付部１０６は、中央部に取付孔（図示省略）が形成されており、内枠１４に設けられた収容部１０４の周縁部１０４Ａに形成されたボス１０８と係合可能としている。
【００４７】
そして、ボス１０８に取付孔を係合させた状態で、図示しない固定ネジをボス１０８にねじ込むことで、該固定ネジを介してベース板１０２が内枠１４に固定される。また、図示はしないが、ベース板１０２の下方にも、取付孔が形成されており、内枠１４の下方に設けられたボスに取付孔を係合させた状態で、固定ネジを介してベース板１０２を内枠１４に固定する。
【００４８】
ところで、内枠１４の裏面側の開口部１１０は、遊技盤Ｇよりも大きい矩形状としており、図５に示すように、開口部１１０の上縁部（収容部１０４の周縁部１０４Ａ）及び下縁部には、断面が略Ｌ字状のステンレス製の上レール１１２及び下レール１１４が内枠１４の自由端側から支持端側へ向かってそれぞれ水平に配設され、図６に示すように（液晶表示器９４はハッチングで示している）、上レール１１２及び下レール１１４を構成する一方の面１１２Ａ、１１４Ａが互いに対面するように配置されている。そして、この上レール１１２と下レール１１４の間に液晶表示器９４が配置可能となっている。
【００４９】
一方、図５に示すように（ここでは、説明の便宜上、ベース板１０２を内枠１４に固定させていない）、液晶表示器９４の上端面と下端面からは、上ガイド板１１６と下ガイド板１１８がそれぞれ張り出しており、上レール１１２及び下レール１１４と払出機構１００に備えられたベース板１０２との間に生じる隙間を通過可能としている。
【００５０】
つまり、下レール１１４に液晶表示器９４を載置させ、上レール１１２とベース板１０２との隙間内に上ガイド板１１６を配置し、下レール１１４とベース板１０２との隙間内に下ガイド板１１８を配置した状態で、上レール１１２、下レール１１４に沿って液晶表示器９４をスライドさせることができる。
【００５１】
また、図６に示すように、側面視にて、上レール１１２、下レール１１４の位置は、外枠１２の後方となるように位置しており、内枠１４を外枠１２に取付けた状態で、液晶表示器９４は露出させ、液晶表示器９４のスライド移動を可能としている。
【００５２】
ここで、下レール１１４の終端部（内枠１４の支持端側）には、図７（Ａ）、（Ｂ）に示すように、ステンレス製の鈎状のクランプ部材１２０が設けられている。このクランプ部材１２０は、下レール１１４の他方の面１１４Ｂに固定された固定片１２２と、ク字状に折れ曲がり該固定片１２２と対向する屈曲片１２４と、該屈曲片１２４と固定片１２２とを繋ぐ連結片１２６とを備えている。
【００５３】
屈曲片１２４の略中央部が屈曲部１２４Ａとされ、固定片１２２側へ向かって屈曲している。この屈曲部１２４Ａと固定片１２２の隙間は、液晶表示器９４の下ガイド板１１８の肉厚よりも狭くなっている。
【００５４】
このため、液晶表示器９４を上レール１１２、下レール１１４に沿ってスライドさせ、下ガイド板１１８の側端面がクランプ部材１２０の屈曲片１２４に当接すると、該屈曲片１２４が固定片１２２から離間する方向へ付勢され、屈曲片１２４には弾性力が蓄積された状態となる。これにより、下ガイド板１１８が固定片１２２と屈曲片１２４との間で挟持され液晶表示器９４が移動規制される（いわゆる仮止めの状態）。
【００５５】
また、下レール１１４の奥部には、衝撃吸収部材１２８が設けられており、下ガイド板１１８が当接した状態で、液晶表示器９４に当接し移動規制され、液晶表示器９４が当接したときの衝撃を吸収するようになっている。
【００５６】
そして、液晶表示器９４が仮止めされた状態では、上ガイド板１１６、下ガイド板１１８（なお、下ガイド板１１８の場合、内枠１４の自由端側に対応する箇所）に形成された取付孔１３０と上レール１１２、下レール１１４に形成された固定孔１３２の孔位置がそれぞれ一致し、固定ネジをねじ込むことで、液晶表示器９４が内枠１４に固定されることとなる。
【００５７】
なお、ここでは固定ネジにより液晶表示器９４を内枠１４に固定するようにしたが、液晶表示器９４を内枠１４で保持することができれば良いため、これに限るものではない。例えば、クランプ部材を複数設け、液晶表示器９４を内枠１４で保持できるようにしても良いし、施錠装置などを取付けて液晶表示器９４を内枠１４で保持できるようにしても良い。
【００５８】
また、液晶表示器９４の裏面における内枠１４の自由端側（裏面視左側；図５参照）には、液晶表示器９４で表示される画像の階調を表現するため周波数を変更するインバータ１３４を配設している。このため、ベース板１０２には、該インバータ１３４との干渉を回避するため、インバータ１３４を保護するカバー部１３６をベース板１０２の裏面から凸設させている。
【００５９】
次に、本発明の実施の形態に係る遊技機の作用について説明する。
【００６０】
図５に示すように、本形態では、内枠１４の裏面側の開口部１１０の上縁部（収容部１０４の周縁部１０４Ａ）及び下縁部に、内枠１４の自由端側から支持端側へ向かって上レール１１２又は下レール１１４をそれぞれ水平に配設し、該上レール１１２及び下レール１１４に沿って液晶表示器９４をスライド可能としている。
【００６１】
このため、液晶表示器９４を交換する際、液晶表示器９４を完全に取り外すまでの間は、液晶表示器９４の質量は下レール１１４を介して内枠１４で支持されるため、作業者の負担が少なく、液晶表示器９４の交換を簡単に行うことができる。
【００６２】
ここで、この上レール１１２及び下レール１１４の位置を、図６に示すように、側面視にて、外枠１２の後方となるようにしている。これにより、内枠１４を外枠１２に取付けた状態で、液晶表示器９４は露出し、液晶表示器９４のスライド移動が可能となるようにしている。
【００６３】
パチンコ機１０が店内に配置された状態では、外枠１２に対して内枠１４を回動させ、外枠１２と干渉しない状態で、液晶表示器９４をスライドさせる必要があるが、パチンコ機１０が店内に配置されていない状態では、必ずしも内枠１４を外枠１２に対して回動させる必要がないため、内枠１４が外枠１２に対して閉止された状態であっても液晶表示器９４を交換することができ、大変便利である。
【００６４】
また、下レール１１４の終端部（内枠１４の支持端側）に、図７（Ａ）、（Ｂ）に示すクランプ部材１２０を設け、液晶表示器９４の下ガイド板１１８を固定片１２２と屈曲片１２４との間で挟持して該液晶表示器９４を仮止めするため、液晶表示器９４を内枠１４に固定させるまでの間に液晶表示器９４が勝手に動くことがないので、作業上便利である。
【００６５】
さらに、本形態では、液晶表示器９４の裏面における内枠１４の自由端側に、インバータ１３４を配設している。このインバータ１３４は、ベース板１０２に取付けられた図柄制御基板９８（図４参照）と電気的に接続されており、液晶表示器９４で表示される画像の階調を表現するため周波数を変更している。
【００６６】
このように、インバータ１３４を液晶表示器９４側に配設することで、インバータ１３４をベース板１０２側に配設した場合と比較して、液晶表示器９４をスライドさせる際にコネクター（図示省略）の着脱箇所が少なくて済む。
【００６７】
また、液晶表示器９４の裏面にインバータ１３４を配設することで、該インバータ１３４部分は液晶表示器９４の裏面から大きく突出した状態となる。液晶表示器９４をスライドさせると、このインバータ１３４が移動する領域はデッドスペースになってしまうが、インバータ１３４を内枠１４の自由端側に位置することで、デッドスペースが生じないようにすることができる。
【００６８】
さらに、本実施の形態では、クランプ部材１２０を下レール１１４の終端部（内枠１４の支持端側）に設け、固定片１２２と一体構造としたが、クランプ部１２０自体は、終端部である必要はない。すなわち、図８（Ａ）、（Ｂ）に示される如く、クランプ部１２２と固定片１２２とを別体とし、クランプ部１２２を自由端寄りに設けるようにしてもよい。
【００６９】
なお、本形態はあくまでも一実施例であり、本発明の主旨を逸脱しない範囲内において適宜変更可能であることは言うまでもない。
【図面の簡単な説明】
【００７０】
【図１】本発明の実施形態に係るパチンコ機を示す正面側から見た斜視図である。
【図２】本発明の実施形態に係るパチンコ機のガラス枠及び皿ユニットが開放された状態を示す正面側から見た斜視図である。
【図３】本発明の実施形態に係るパチンコ機を示す背面図から見た斜視図である。
【図４】本発明の実施形態に係るパチンコ機の裏面に設けられた払出機構等を示す背面側から見た分解斜視図である。
【図５】本発明の実施形態に係るパチンコ機の裏面に設けられた液晶表示器をスライドさせた状態を示す背面側から見た斜視図である。
【図６】本発明の実施形態に係るパチンコ機の側面図である。
【図７】本発明の実施形態に係るパチンコ機の液晶表示器を保持する構成を示す説明図であり、（Ａ）は斜視図、（Ｂ）は平面図である。
【図８】本発明の変形例に係るパチンコ機の液晶表示器を保持する構成を示す説明図であり、（Ａ）は斜視図、（Ｂ）は平面図である。
【符号の説明】
【００７１】
１０  パチンコ機
１２  外枠
１４  内枠
９４  液晶表示器
１１２  上レール（ガイドレール）
１１４  下レール（ガイドレール）
１２０  クランプ部材（保持手段）
１３４  インバータ
【図１】
2008104860.tif 000003
【図２】
2008104860.tif 000004
【図３】
2008104860.tif 000005
【図４】
2008104860.tif 000006
【図５】
2008104860.tif 000007
【図６】
2008104860.tif 000008
【図７】
2008104860.tif 000009
【図８】
2008104860.tif 000010